【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】
物体側より順に、
正屈折力を有する第１レンズ群と、
負屈折力を有する第２レンズ群と、
正屈折力を有する第３レンズ群と、
負屈折力を有する第４レンズ群と、
正屈折力を有する第５レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が増大し、前記第４レンズ群と前記第５レンズ群との間隔が減少するように、前記第１レンズ群、及び前記第３レンズ群から前記第５レンズ群の各々のレンズ群が物体側に移動し、
以下の条件式を満足することを特徴とするズームレンズ。
０．１６＜|ｆ２／ｆＴ|＜０．３
但し、
ｆ２：前記第２レンズ群の焦点距離，
ｆＴ：望遠端状態における前記ズームレンズ全系の焦点距離．
【請求項２】
以下の条件式を満足することを特徴とする請求項１に記載のズームレンズ。
０．８５＜ｆ１／ｆＴ＜１．５
但し、
ｆ１：前記第１レンズ群の焦点距離．
【請求項３】
以下の条件式を満足することを特徴とする請求項１又は請求項２に記載のズームレンズ。
０．２＜Ｘ１／ｆＴ＜１
但し、
Ｘ１：広角端状態から望遠端状態までレンズ位置状態が変化する際の前記第１レンズ群の移動量．
【請求項４】
前記第５レンズ群は、正レンズと負レンズとからなる貼り合せレンズを少なくとも１つ有し、
以下の条件式を満足することを特徴とする請求項１から請求項３のいずれか１項に記載のズームレンズ。
νｐ＞６０
νｎ＜５５
但し、
νｐ：前記第５レンズ群の前記貼り合せレンズ中の前記正レンズのアッベ数，
νｎ：前記第５レンズ群の前記貼り合せレンズ中の前記負レンズのアッベ数．
【請求項５】
前記第２レンズ群によって、フォーカシングを行うことを特徴とする請求項１から請求項４のいずれか１項に記載のズームレンズ。
【請求項６】
前記第１レンズ群と前記第２レンズ群との間に、開口絞りが配置されることを特徴とする請求項１から請求項５のいずれか１項に記載のズームレンズ。
【請求項７】
前記第２レンズ群は、非球面を有することを特徴とする請求項１から請求項６のいずれか１項に記載のズームレンズ。
【請求項８】
前記第５レンズ群は、非球面を有することを特徴とする請求項１から請求項７のいずれか１項に記載のズームレンズ。
【手続補正２】
【補正対象書類名】明細書
【補正対象項目名】０００６
【補正方法】変更
【補正の内容】
【０００６】
【課題を解決するための手段】
上記課題を解決するために本発明は、
物体側より順に、
正屈折力を有する第１レンズ群と、
負屈折力を有する第２レンズ群と、
正屈折力を有する第３レンズ群と、
負屈折力を有する第４レンズ群と、
正屈折力を有する第５レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が増大し、前記第４レンズ群と前記第５レンズ群との間隔が減少するように、前記第１レンズ群、及び前記第３レンズ群から前記第５レンズ群の各々のレンズ群が物体側に移動し、
以下の条件式を満足することを特徴とするズームレンズを提供する。
０．１６＜|ｆ２／ｆＴ|＜０．３
但し、
ｆ２：前記第２レンズ群の焦点距離，
ｆＴ：望遠端状態における前記ズームレンズ全系の焦点距離．
【手続補正３】
【補正対象書類名】明細書
【補正対象項目名】００２０
【補正方法】変更
【補正の内容】
【００２０】
（第１実施例）
図１は、本発明の第１実施例に係るズームレンズの断面図を示している。第１実施例に係るズームレンズは、物体側より順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、正屈折力を有する第５レンズ群Ｇ５とを有する。また、第２レンズ群Ｇ２と第３レンズ群Ｇ３との間には開口絞りＡＳが配置されている。
そして、広角端状態から望遠端状態までレンズ位置状態が変化する際に、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少するように、第１レンズ群Ｇ１、及び第３レンズ群Ｇ３から第５レンズ群Ｇ５の各々のレンズ群が物体側に移動する構成である。
【手続補正４】
【補正対象書類名】明細書
【補正対象項目名】００２７
【補正方法】変更
【補正の内容】
【００２７】
（第２実施例）
図５は、本発明の第２実施例に係るズームレンズの断面図を示している。第２実施例に係るズームレンズは、物体側より順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、正屈折力を有する第５レンズ群Ｇ５とを有する。また、第２レンズ群Ｇ２と第３レンズ群Ｇ３との間には開口絞りＡＳが配置されている。
そして、広角端状態から望遠端状態までレンズ位置状態が変化する際に、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少するように、第１レンズ群Ｇ１、及び第３レンズ群Ｇ３から第５レンズ群Ｇ５の各々のレンズ群が物体側に移動する構成である。
以下の表２に、本発明の第２実施例に係るズームレンズの諸元の値を掲げる。
【手続補正５】
【補正対象書類名】明細書
【補正対象項目名】００３１
【補正方法】変更
【補正の内容】
【００３１】
（第３実施例）
図９は、本発明の第３実施例に係るズームレンズの断面図を示している。第３実施例に係るズームレンズは、物体側より順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、正屈折力を有する第５レンズ群Ｇ５とを有する。また、第２レンズ群Ｇ２と第３レンズ群Ｇ３との間には開口絞りＡＳが配置されている。
そして、広角端状態から望遠端状態までレンズ位置状態が変化する際に、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少するように、第１レンズ群Ｇ１、及び第３レンズ群Ｇ３から第５レンズ群Ｇ５の各々のレンズ群が物体側に移動する構成である。
以下の表３に、本発明の第３実施例に係るズームレンズの諸元の値を掲げる。
【手続補正６】
【補正対象書類名】明細書
【補正対象項目名】００３５
【補正方法】変更
【補正の内容】
【００３５】
（第４実施例）
図１３は、本発明の第４実施例に係るズームレンズの断面図を示している。第４実施例に係るズームレンズは、物体側より順に、正屈折力を有する第１レンズ群Ｇ１と、負屈折力を有する第２レンズ群Ｇ２と、正屈折力を有する第３レンズ群Ｇ３と、負屈折力を有する第４レンズ群Ｇ４と、正屈折力を有する第５レンズ群Ｇ５とを有する。また、第２レンズ群Ｇ２と第３レンズ群Ｇ３との間には開口絞りＡＳが配置されている。
そして、広角端状態から望遠端状態までレンズ位置状態が変化する際に、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少するように、第１レンズ群Ｇ１、及び第３レンズ群Ｇ３から第５レンズ群Ｇ５の各々のレンズ群が物体側に移動する構成である。
以下の表４に、本発明の第４実施例に係るズームレンズの諸元の値を掲げる。